(57)【要約】【課題】バックスウィング時のテークバック方向を正確にイメージさせ易く、もってスウィング軌道を理想の状態に可及的に近づけることができ、かつ、インパクト時にクラブヘッドに弾かれても、衝撃力が直接伝わることがなく、破損と飛び出し時の跳ね上がりとを可及的に抑制することができるウィング軌道の指標片付きゴルフティーを提供する【解決手段】ゴルフティー本体１０の軸部８に、クラブのスウィング軌道の指標となる打ち出し方向指標片１１２とテークバック方向指標片１１４とが該軸部８に沿って折り畳み自在に設けられ、該両指標片１１２，１１４はその折り畳み位置から互いに軸部８側方の逆方向に突出して、その打ち出し方向とテークバック方向との指標になる。【選択図】  図１
2011004813.tif 000002
【特許請求の範囲】
【請求項１】
ゴルフティー本体の軸部に、
クラブのスウィング軌道の指標となる打ち出し方向指標片とテークバック方向指標片とが該軸部に沿って折り畳み自在に設けられ、
該両指標片はその折り畳み位置から相互に逆方向となる軸部の側方に突出して、その打ち出し方向とテークバック方向とを指し示す、
ことを特徴とするスウィング軌道の指標片付きゴルフティー。
【請求項２】
請求項１に記載のスウィング軌道の指標片付きゴルフティーであって、
前記打ち出し方向指標片とテークバック方向指標片とが直線状に一体形成され、
該指標片の中間部が前記軸部に回動自在にピン結合されて該軸部の長手方向に重ねられて折り畳まれる、
ことを特徴とするスウィング軌道の指標片付きゴルフティー。
【請求項３】
請求項１に記載のスウィング軌道の指標片付きゴルフティーであって、
前記軸部の上部に、打ち出し方向指標片とテークバック方向指標片とを取り付けるための拡径部が設けられ、
該拡径部の対向する位置に、前記打ち出し方向指標片とテークバック方向指標片との基端部が回動自在にピン結合されている、
ことを特徴とするスウィング軌道の指標片付きゴルフティー。
【請求項４】
請求項３に記載のスウィング軌道の指標片付きゴルフティーであって、
前記拡径部に、前記打ち出し方向指標片とテークバック方向指標片との結合位置に対して９０度ずらされて、更にアドレス位置指標片がその基端部を回動自在にピン結合されて取り付けられている、
ことを特徴とするスウィング軌道の指標片付きゴルフティー。
【請求項５】
請求項３または４のいずれかに記載のスウィング軌道の指標片付きゴルフティーであって、
前記拡径部が前記軸部に着脱自在に嵌合する円環状部材にて形成されている、
ことを特徴とするスウィング軌道の指標片付きゴルフティー。
【請求項６】
請求項３または４のいずれかに記載のスウィング軌道の指標片付きゴルフティーであって、
前記拡径部が前記軸部に一体形成されている、
ことを特徴とするスウィング軌道の指標片付きゴルフティー。
【請求項７】
請求項６に記載のスウィング軌道の指標片付きゴルフティーであって、
前記打ち出し方向指標片とテークバック方向指標片との先端は、その折り畳み位置で前記軸部の下端よりも下方に延出し、
該先端には該打ち出し方向指標片と該テークバック方向指標片とを係脱自在に係合させる係合手段が設けられている、
ことを特徴とするスウィング軌道の指標片付きゴルフティー。
【請求項８】
請求項６または７のいずれかに記載のスウィング軌道の指標片付きゴルフティーであって、
前記拡径部が中空に形成され、
該拡径部内に前記打ち出し方向指標片とテークバック方向指標片とを突出方向に付勢する弾発部材が設けられている、
ことを特徴とするスウィング軌道の指標片付きゴルフティー。
【請求項９】
請求項８に記載のスウィング軌道の指標片付きゴルフティーであって、
前記係合手段は、前記打ち出し方向指標片とテークバック方向指標片とを軸支するピンの軸心方向に沿わせて該両指標片を逆方向に移動させると係合が離脱する鉤形のフックでなり、
該打ち出し方向指標片とテークバック方向指標片とは、その基端部が該ピンに沿って移動して該フックの係合を離脱させる遊びを有して該ピンに軸支され、
前記拡径部の中空部内には、該拡径部の外周面に露出する操作片を操作することにより、該打ち出し方向指標片とテークバック方向指標片との両基端部を逆方向に押圧移動させて該係合手段の係合を解除する係合解除機構が設けられている、
ことを特徴とするスウィング軌道の指標片付きゴルフティー。
【請求項１０】
請求項９に記載のスウィング軌道の指標片付きゴルフティーであって、
前記係合解除機構が、前記拡径部の内周部に沿って回転して、前記打ち出し方向指標片とテークバック方向指標片との基端部に当接し、該両基端部を逆方向に押圧移動させる押圧片と、
前記拡径部の外周面に一端が突出するとともに他端が該押圧片に当接して、該一端が押し込まれることによって該押圧片を押し回し、該両基端部を逆方向に押圧移動させるプッシュピンとからなる、
ことを特徴とするスウィング軌道の指標片付きゴルフティー。
【請求項１１】
請求項１に記載のスウィング軌道の指標片付きゴルフティーであって、
前記打ち出し方向指標片とテークバック方向指標片とが、これらを突出位置に保持する可撓性弾発部材を介して折り畳み自在に前記軸部に取り付けられ、
該打ち出し方向指標片とテークバック方向指標片との先端は、その折り畳み位置で該軸部の下端よりも下方に延出し、
該先端には該打ち出し方向指標片と該テークバック方向指標片とを係脱自在に係合させる係合手段が設けられている、
ことを特徴とするスウィング軌道の指標片付きゴルフティー。
【請求項１２】
請求項１に記載のスウィング軌道の指標片付きゴルフティーであって、
前記打ち出し方向指標片とテークバック方向指標片とが復元性を有した軟質な可撓性樹脂素材によって形成されるとともに、それら両指標片の基端部がその突出状態を維持されて前記軸部に取付固定され、
該両指標片の外周部には、直径が拡縮しながら前記軸部に沿って上下に移動可能なゴムリングが嵌装されて、該ゴムリングの下方への移動により該両指標片が折り畳まれて保持され、
該両指標片の表側面には該ゴムリングの抜け落ちを防止する突起が設けられている、
ことを特徴とするスウィング軌道の指標片付きゴルフティー。
【発明の詳細な説明】
【技術分野】
【０００１】
本発明はゴルフティーに係わり、特にティー本体の軸部にクラブのスウィング軌道の指標となる指標片を取り付けたスウィング軌道の指標片付きゴルフティーに関する。
【背景技術】
【０００２】
従来、ティーショットにおけるボールの打ち出し方向を視覚的に明示できるようになしたゴルフティーとして、実用新案登録３０９７８１０号公報にて提案されているものが知られている。
【０００３】
当該提案のゴルフティーは、ティー本体の軸部に打ち出し方向を指標する指標片を装着して、この指標片をティー本体の側方に突き出るよう一体的に保持させるようにしたものである。より具体的には、ティー本体の軸部に指標片の穿孔を着脱可能かつ摺動可能に嵌合して、指標片をティー本体の軸部の側方に水平状に突き出るよう一体的に嵌合装着するようにしたものである。
【先行技術文献】
【特許文献】
【０００４】
【特許文献１】実用新案登録３０９７８１０
【発明の概要】
【発明が解決しようとする課題】
【０００５】
ところで、ティーアップしたボールを目標方向に正確に打ち出して飛距離を確保するためには、クラブのスウィング軌道を可及的に理想的なものに近づける必要があって、バックスウィングからインパクト後のフォロースルーに至る一連のスウィング動作を正確に、かつスムーズに行うことが重要となる。即ち、クラブのスウィング軌道を可及的に理想的なものに近づけるためには、当該スウィング動作におけるバックスウィング時のテークバック方向とインパクト後のフォロースルー方向とを正確に保って振り上げそして振り抜く必要がある。
【０００６】
しかしながら、上記従来のゴルフティーにあっては、指標片は軸部の側方に向かって、打ち出し方向のみを指向して水平状に突き出るように一体的に嵌合装着されているので、次のような課題点があった。
【０００７】
（１）従来のゴルフティーは打ち出し方向を視認させるための指標片を有しているが、テークバック方向を視認させるための指標片を有していないので、遊技者はバックスウィング時にそのテークバック方向を正確にイメージすることが困難で、テークバック方向に乱れを生じさせやすい。即ち、当該テークバック方向に乱れが生じると一連のスウィング軌道を理想のものに近づけることが困難になってしまう。
【０００８】
（２）ゴルフティーはインパクト時に往々にしてボールと共にクラブヘッドに弾かれて飛び出すことがあるが、このような場合に従来のティーであると、指標片が飛び出し方向に延びて軸部に一体的に嵌合装着されているから、インパクト時にゴルフティーに加わる衝撃力が当該指標片に直接伝わって破損の要因となってしまう。また、その飛び出し時には、衝撃力で当該指標片が撓むと共にその先端が支点となってしまうので、ティーが大きく上方に弾んで跳ね上がり、遠くまで飛んでしまう虞がある。
【０００９】
本発明は、上記のような従来の問題に鑑みてなされたものであって、その目的は、バックスウィング時のテークバック方向を正確にイメージさせ易く、もってスウィング軌道を理想の状態に可及的に近づけることができ、かつ、インパクト時にクラブヘッドに弾かれても、衝撃力が直接伝わることがなく、破損と飛び出し時の跳ね上がりとを可及的に抑制することができるスウィング軌道の指標片付きゴルフティーを提供することにある。
【課題を解決するための手段】
【００１０】
かかる目的を達成するために請求項１に示す発明は、ゴルフティー本体の軸部に、クラブのスウィング軌道の指標となる打ち出し方向指標片とテークバック方向指標片とが該軸部に沿って折り畳み自在に設けられ、該両指標片はその折り畳み位置から相互に逆方向となる軸部の側方に突出して、その打ち出し方向とテークバック方向とを指し示すスウィング軌道の指標片付きゴルフティーであることを特徴とする。
【００１１】
請求項２に示す発明は、請求項１に記載のスウィング軌道の指標片付きゴルフティーであって、前記打ち出し方向指標片とテークバック方向指標片とが直線状に一体形成され、該指標片の中間部が前記軸部に回動自在にピン結合されて該軸部の長手方向に重ねられて折り畳まれる、ことを特徴とする。
【００１２】
請求項３に示す発明は、請求項１に記載のスウィング軌道の指標片付きゴルフティーであって、前記軸部の上部に、打ち出し方向指標片とテークバック方向指標片とを取り付けるための拡径部が設けられ、該拡径部の対向する位置に、前記打ち出し方向指標片とテークバック方向指標片との基端部が回動自在にピン結合されている、ことを特徴とする。
【００１３】
請求項４に示す発明は、請求項３に記載のスウィング軌道の指標片付きゴルフティーであって、前記拡径部に、前記打ち出し方向指標片とテークバック方向指標片との結合位置に対して９０度ずらされて、更にアドレス位置指標片がその基端部を回動自在にピン結合されて取り付けられている、ことを特徴とする。
【００１４】
請求項５に示す発明は、請求項３または４のいずれかに記載のスウィング軌道の指標片付きゴルフティーであって、前記拡径部が前記軸部に着脱自在に嵌合する円環状部材にて形成されている、ことを特徴とする。
【００１５】
請求項６に示す発明は、請求項３または４のいずれかに記載のスウィング軌道の指標片付きゴルフティーであって、前記拡径部が前記軸部に一体形成されている、ことを特徴とする。
【００１６】
請求項７に示す発明は、請求項６に記載のスウィング軌道の指標片付きゴルフティーであって、前記打ち出し方向指標片とテークバック方向指標片との先端は、その折り畳み位置で前記軸部の下端よりも下方に延出し、該先端には該打ち出し方向指標片と該テークバック方向指標片とを係脱自在に係合させる係合手段が設けられている、ことを特徴とする。
【００１７】
請求項８に示す発明は、請求項６または７のいずれかに記載のスウィング軌道の指標片付きゴルフティーであって、前記拡径部が中空に形成され、該拡径部内に前記打ち出し方向指標片とテークバック方向指標片とを突出方向に付勢する弾発部材が設けられている、ことを特徴とする。
【００１８】
請求項９に示す発明は、請求項８に記載のスウィング軌道の指標片付きゴルフティーであって、前記係合手段は、前記打ち出し方向指標片とテークバック方向指標片とを軸支するピンの軸心方向に沿わせて該両指標片を逆方向に移動させると係合が離脱する鉤形のフックでなり、該打ち出し方向指標片とテークバック方向指標片とは、その基端部が該ピンに沿って移動して該フックの係合を離脱させる遊びを有して該ピンに軸支され、前記拡径部の中空部内には、該拡径部の外周面に露出する操作片を操作することにより、該打ち出し方向指標片とテークバック方向指標片との両基端部を逆方向に押圧移動させて該係合手段の係合を解除する係合解除機構が設けられている、ことを特徴とする。
【００１９】
請求項１０に示す発明は、請求項９に記載のスウィング軌道の指標片付きゴルフティーであって、前記係合解除機構が、前記拡径部の内周部に沿って回転して、前記打ち出し方向指標片とテークバック方向指標片との基端部に当接し、該両基端部を逆方向に押圧移動させる押圧片と、前記拡径部の外周面に一端が突出するとともに他端が該押圧片に当接して、該一端が押し込まれることによって該押圧片を押し回し、該両基端部を逆方向に押圧移動させるプッシュピンとからなる、ことを特徴とする。
【００２０】
請求項１１に示す発明は、請求項１に記載のスウィング軌道の指標片付きゴルフティーであって、前記打ち出し方向指標片とテークバック方向指標片とが、これらを突出位置に保持する可撓性弾発部材を介して折り畳み自在に前記軸部に取り付けられ、該打ち出し方向指標片とテークバック方向指標片との先端は、その折り畳み位置で該軸部の下端よりも下方に延出し、該先端には該打ち出し方向指標片と該テークバック方向指標片とを係脱自在に係合させる係合手段が設けられている、ことを特徴とする。
【００２１】
請求項１２に示す発明は、請求項１に記載のスウィング軌道の指標片付きゴルフティーであって、前記打ち出し方向指標片とテークバック方向指標片とが復元性を有した軟質な可撓性樹脂素材によって形成されて、その突出状態を維持されてその基端部が前記軸部に取付固定されるとともに、該打ち出し方向指標片とテークバック方向指標片との外周部には、直径が拡縮しながら前記軸部に沿って上下に移動可能なゴムリングが嵌装されて、該ゴムリングの下方への移動により該両指標片が折り畳まれて保持され、該両指標片の表側面には該ゴムリングの抜け落ちを防止する突起が設けられている、ことを特徴とする。
【発明の効果】
【００２２】
本発明によれば、打ち出し方向のみならずバックスウィング時の理想的なテークバック方向を遊技者に正確にイメージさせ易く、また打ち出し方向とテークバック方向との指標片が指し示すターゲットラインを視認しながら平行に綺麗なアドレスをスムーズに行えるようになり、もって遊技者のスウィング軌道を理想の状態に可及的に近づけさせることができ、かつ、インパクト時にクラブヘッドに弾かれても、衝撃力が直接的に指標片に伝わることがなく、ゴルフティーの破損を可及的に防止し得ると共にその飛び出し時の跳ね上がりを可及的に抑制することができる、スウィング軌道の指標片付きゴルフティーを提供することができる。
【図面の簡単な説明】
【００２３】
【図１】本発明の第１実施形態に係るスウィング軌道の指標片付きゴルフティーを示し、（ａ）は指標片を畳んだ状態の側面図、（ｂ）は指標片を畳んだ状態の正面図、（ｃ）は指標片を突出させた状態の平面図、（ｄ）は指標片を突出させた状態の正面図である。
【図２】本発明の第２実施形態に係るスウィング軌道の指標片付きゴルフティーを示し、（ａ）は指標片を畳んだ状態の正面図、（ｂ）は指標片を突出させた状態の平面図、（ｃ）は指標片を突出させた状態の正面図、（ｄ）は指標部材の指標片を突出させた状態の平面図である。
【図３】本発明の第３実施形態に係るスウィング軌道の指標片付きゴルフティーを示し、（ａ）は指標片を突出させた状態の平面図、（ｂ）は指標片を突出させた状態の正面図、（ｃ）は指標片を畳んだ状態の正面図、（ｄ）は指標片部品の底面図である。
【図４】本発明の第４実施形態に係るスウィング軌道の指標片付きゴルフティーを示し、（ａ）は指標片を突出させた状態の平面図、（ｂ）は指標片を突出させた状態の正断面図とその要部拡大図、（ｃ）は指標片を畳んだ状態の正断面図とその要部拡大図である。
【図５】図４における軸部材の拡径部での平断面図とその要部拡大図である。
【図６】本発明の第５実施形態に係るスウィング軌道の指標片付きゴルフティーを示し、（ａ）は指標片を突出させた状態の正断面図、（ｂ）は指標片を突出させた状態における指標片取付位置での平断面図である。
【図７】本発明の第６実施形態に係るスウィング軌道の指標片付きゴルフティーを示し、（ａ）は指標片を突出させた状態の平面図と正面図、（ｂ）は指標片を途中まで畳んだ状態の平面図と正面図、（ｃ）は指標片を完全に畳んだ状態の平面図と正面図である。
【発明を実施するための形態】
【００２４】
以下に本発明に係るスウィング軌道の指標片付きゴルフティーの種々の実施形態について、添付図面を参照して順次に説明する。
【００２５】
＝＝＝第１実施形態＝＝＝
図１は本発明の第１実施形態に係るスウィング軌道の指標片付きゴルフティーを示し、この第１実施形態のスウィング軌道の指標片付きゴルフティー２Ａは、ゴルフボールを載置する王冠状の座４を有したボール載置部材６とこのボール載置部材６の下部に連なる軸部材８とからティー本体１０が形成されている。
【００２６】
軸部材８は断面円形を呈して下方に向かって直径が漸次縮径していくテーパー軸状をなし、下端部はティーグラウンドの地中に突き刺すために先鋭に形成されている。その素材としては熱可塑性樹脂等の硬質な樹脂が用いられている。  
ボール載置部材６は中空に形成されて、上方に向かって直径が漸次拡径していくラッパ状を呈し、素材として弾性の高い可撓性樹脂が用いられている。  
ボール載置部材６の下端部と軸部材８の上端部とにはそれぞれに、共に直径が一致する拡径部６ａ，８ａが一体形成されていて、当該拡径部６ａ，８ａの端面同士が突き合わされて一体的に接合されている。
【００２７】
ところで、ゴルフティー本体１０の軸部材８には、クラブを振り抜くスウィング軌道の指標となる打ち出し方向指標片１１２とテークバック方向指標片１１４とが軸部材８に沿って折り畳み自在に設けられ、当該打ち出し方向指標片１１２とテークバック方向指標片１１４との両指標片１１２，１１４はその折り畳み位置から相互に逆方向となる軸部材８の側方に向けて突出して、その打ち出し方向とテークバック方向とを指し示すようになっている。
【００２８】
即ち、この第１実施形態のスウィング軌道の指標片付きゴルフティー２Ａでは、前記打ち出し方向指標片１１２とテークバック方向指標片１１４とは樹脂を素材にして直線状に繋がれて一体形成されている。そして、この一体化指標片１１５は、その略中間部が前記ボール載置部材６と軸部材８との拡径部６ａ，８ａに回動自在にピン１１６で結合されている。
【００２９】
ここで拡径部６ａ，８ａの直径はボール載置部材６の上端の王冠状の座４の直径と略同寸法に形成されていて、一体化指標片１１５はその座４に干渉することなく、ピン１１６を中心に回動し得るようになっている。そして、この一体化指標片１１５は当該ピン１１６廻りに回動されて、ボール載置部材６と軸部材８とからなるティー本体１０の長手方向に沿って重ね合わされることで折り畳まれるようになっている。
【００３０】
なお、一体化指標片１１５はその折り畳み位置と突出位置とにて、ティー本体１０に位置決めされて保持されるようになっている。即ち、図示していないが、当該一体化指標片１１５保持は、例えば一体化指標片１１５がピン１１６で軸支される中間部の裏面とティー本体１０の拡径部６ａ，８ａとに相互に対応づけて設けた、係合凸部と係合凹部とからなるノッチで係止させる等して簡易に行い得る。
【００３１】
なお、軸部材８の長さは約４．５ｃｍ程度に形成すると共に、ボール載置部材６の長さも略等しい約４．５ｃｍ程度に形成する一方、一体化指標片１１５の全長はそのボール載置部材６と軸部材８との長さに合わせて若干短い８ｃｍ程度に形成して、その折り畳み時にティー本体１０の全長内に納まるようにするのが好ましい。
【００３２】
以上のように構成されるスウィング軌道の指標片付きゴルフティー２Ａにあっては、ティーアップに際して、一体化指標片１１５を折り畳み位置から軸部材８と直交する突出位置へと回動させていくと、打ち出し方向指標片１１２とテークバック方向指標片１１４とが軸部材８の側方に逆方向に突出していく。そして軸部材８に直交する突出位置に至ると、ノッチの係合凸部と係合凹部とにより当該突出位置にて保持される。
【００３３】
そして打ち出し方向指標片１１２とテークバック方向指標片１１４とが突出位置にある状態で、ゴルフティー２Ａの軸部材８をティーグラウンド上に差し込んでティーアップする。この時、ゴルフティー２Ａの打ち出し方向指標片１１２は飛球の目標到達位置方向に向けて指向させておく。これによりテークバック指標片１１４は必然的にその理想とするテークバック方向を指向して、ティー本体１０の側面に、打ち出し方向とテークバック方向とに沿って延びる約８ｃｍ前後の長い指標が示されることになる。
【００３４】
即ち、遊技者はその指標に沿ってクラブヘッドを振り上げてから振り抜くようにイメージすれば、理想的なスウィングに可及的に近づけて、ゴルフティー２Ａ上にティーアップしたゴルフボールを打ち出すことができるようになる。特に、テークバック方向指標片１１４により、バックスウィング時のテークバック方向を遊技者に正確にイメージさせることことができるようになるので、テークバック方向の乱れに起因したスウィング軌道の乱れを可及的に抑制できるようになる。
【００３５】
また、インパクト時にボールと共にゴルフティー２Ａがクラブヘッドに弾かれても、打ち出し方向指標片１１２とテークバック方向指標片１１４とが一体化された指標片１１５はティー本体１０に回動自在に軸支されているので、その衝撃力が直接当該指標片１１５に伝わることがない。このため、指標片１１５の破損を可及的に防止できるとともに、ゴルフティー２Ａがボールと共に飛び出した場合にあっても、その跳ね上がりを可及的に抑制することができる。
【００３６】
＝＝＝第２実施形態＝＝＝
図２は本発明の第２実施形態に係るスウィング軌道の指標片付きゴルフティーを示し、この第２実施形態のスウィング軌道の指標片付きゴルフティー２Ｂは、ゴルフボールを載置する王冠状の座５を有したボール載置部材７とこのボール載置部材７の下部に連なる軸部材９とからティー本体１１が形成されている。
【００３７】
軸部材９は断面円形を呈して下方に向かって直径が漸次縮径していくテーパー軸状をなし、下端部はティーグラウンドの地中に突き刺すために先鋭に形成されている。また、その素材としては熱可塑性樹脂等の硬質な樹脂が用いられている。  
ボール載置部材７は中空に形成されて、上方に向かって直径が漸次拡径していくラッパ状を呈し、素材として弾性の高い可撓性樹脂が用いられている。  
ボール載置部材７の下端部と軸部材９の上端部とは、それぞれ共に直径が一致されて形成されていて、当該ボール載置部材７の下端部と軸部材９の上端部との端面同士が付き合わされて一体的に接合されている。
【００３８】
ところで、この第２実施形態にあっても第１実施形態と同様に、ゴルフティー本体１１の軸部材９には、クラブ振り抜き時のスウィング軌道の指標となる打ち出し方向指標片２１２とテークバック方向指標片２１４が軸部材８に沿って折り畳み自在に設けられ、打ち出し方向指標片２１２とテークバック方向指標片２１４との両指標片２１２，２１４はその折り畳み位置から軸部材の側方に向けて相互に逆方向に突出して、その打ち出し方向とテークバック方向とを指し示すようになっている。
【００３９】
即ち、この第２実施形態のスウィング軌道の指標片付きゴルフティー２Ｂでは、前記軸部材９の上部に、打ち出し方向指標片２１２とテークバック方向指標片２１４とを取り付けるための拡径部２０９が設けられ、この拡径部２０９の対向する位置に、前記打ち出し方向指標片２１２とテークバック方向指標片２１４との基端部が回動自在にピン２１６で結合されている。また、その拡径部２０９には、前記打ち出し方向指標片２１２とテークバック方向指標片２１４との結合位置に対して９０度ずらされて、更にアドレス位置指標片２１８がその基端部を回動自在にピン２１６で結合されて取り付けられている。
【００４０】
ここで、この第２実施形態にあっては、前記拡径部２０９は前記軸部材９に着脱自在に嵌合する円環状部材２２０にて形成されている。即ち、図２（ｄ）に示すように、この円環状部材２２０に、打ち出し方向指標片２１２とテークバック方向指標片２１４とアドレス位置指標片２１８との各基端部が回動自在にピン２１６で結合されて、ティー本体１１の軸部材９に対して着脱自在なスウィング軌道指標部材２２２を構成している。
【００４１】
つまり、前記円環状部材２２０は軸部材９の下端から装着されて軸部材９の上部に嵌合されるようになっており、その内周面は軸部材９上部の嵌合位置におけるテーパ軸形状に符合されて形成されいる。また、円環状部材２２０の外周は円筒面になっており、９０度の間隔を空けて指標片取付用の突出片２２３が３カ所に設けられていて、その各突出片２２２に打ち出し方向指標片２１２とテークバック方向指標片２１４とアドレス位置指標片２１８とが上下に回動自在にピン結合されている。ここで少なくとも、打ち出し方向指標片２１２はティー本体１１のボール載置部材７に可及的に近接し得る上方まで回動し得るように軸支することが望ましい。
【００４２】
なお、図示していないが、各指標片２１２，２１４，２１８はその折り畳み位置と突出位置とにて、円環状部材２２０の取付用突出片２２２に係合して保持されるようになっている。即ち、当該係合保持は、例えば各指標片２１２，２１４，２１８と取付用突出片２２２との相対回転面に相互に対応づけて設けた係合凸部と係合凹部とからなるノッチで係止させる等して簡易に行い得る。また、軸部材９とボール載置部材７の長さは共に４．５ｃｍ前後に形成し、各指標片２１２，２１４，２１８の長さは４．５〜７ｃｍ程度に形成するのが好ましい。
【００４３】
以上のように構成されるスウィング軌道の指標片付きゴルフティー２Ｂにあっては、ティーアップに際して、打ち出し方向指標片２１２とテークバック方向指標片２１４とアドレス位置指標片２１８との各指標片を、それぞれその折り畳み位置から軸部材９に直交する突出位置へと向けて上方に回動させていき、その突出位置に至ると、ノッチの係合凸部と係合凹部とにより当該突出位置にて保持される。この時、打ち出し方向指標片２１２とテークバック方向指標片２１４とは軸部材８の側方に逆方向に突出していくことになる。
【００４４】
そして打ち出し方向指標片２１２とテークバック方向指標片２１４とが突出位置にある状態で、ゴルフティー２Ｂの軸部材９をティーグラウンド上に差し込んでティーアップする。この時、ゴルフティー２Ｂの打ち出し方向指標片２１２は飛球の目標到達位置方向に向けて指向させておく。これによりテークバック指標片２１４は必然的にその理想とするテークバック方向を指向して、ティー本体１１の側面に打ち出し方向とテークバック方向とに沿って延びる約８〜１４ｃｍ前後の長い指標が示されることになる。
【００４５】
即ち、このゴルフティー２Ｂによれば、遊技者はその長く延びる指標に沿ってクラブヘッドを振り抜くようにイメージすれば、理想的なスウィングに可及的に近づけて、ゴルフティー２Ｂ上にティーアップしたゴルフボールを打ち出すことができるようになる。特に、テークバック方向指標片２１４により、バックスウィング時のテークバック方向を遊技者に正確にイメージさせることことができるようになるので、テークバック方向の乱れに起因したスウィング軌道の乱れを可及的に抑制できるようになる。
【００４６】
また、インパクト時にボールと共にゴルフティー２Ｂがクラブヘッドに弾かれても、打ち出し方向指標片２１２はティー本体１１に回動自在にピン２１６で軸支されているので、その衝撃力が直接当該指標片２１２に伝わることがない。このため、指標片２１２の破損を可及的に防止できるとともに、ゴルフティー２Ｂがボールと共に飛び出した場合にあっても、その跳ね上がりを可及的に抑制することができる。
【００４７】
また、打ち出し方向指標片２１２とテークバック方向指標片２１４とを円環状部材２２０に回動自在に連結して、着脱自在なスウィング軌道指標部材２２２となしているので、軸部材９の形状が適合するティー本体１１に幅広く適用して、スウィング軌道の指標片付きゴルフティーとなし得る。
【００４８】
＝＝＝第３実施形態＝＝＝
図３は本発明の第３実施形態に係るスウィング軌道の指標片付きゴルフティーを示し、この第３実施形態のスウィング軌道の指標片付きゴルフティー２Ｃは、ゴルフボールを載置する王冠状の座４を有したボール載置部材６とこのボール載置部材６の下部に連なる軸部材８とからティー本体１０が形成されており、当該ティー本体１０の構成は前述した第１実施形態と同様である。よって、同一の部材には同一の符合を付してその詳しい説明は省略する。
【００４９】
ところで、この第３実施形態のスウィング軌道の指標片付きゴルフティー２Ｃにあっても第１実施形態と同様に、ゴルフティー本体１０の軸部材８には、クラブのスウィング軌道の指標となる打ち出し方向指標片３１２とテークバック方向指標片３１４とが軸部材８に沿って折り畳み自在に設けられ、当該打ち出し方向指標片３１２とテークバック方向指標片３１４との両指標片はその折り畳み位置から相互に逆方向となる軸部材８の側方に向けて突出して、その打ち出し方向とテークバック方向とを指し示すようになっている。
【００５０】
即ち、当該第３実施形態のスウィング軌道の指標片付きゴルフティー２Ｃでは、前記軸部材８の上部に設けられた拡径部８ａに、打ち出し方向指標片３１２とテークバック方向指標片３１４とが取り付けられており、その打ち出し方向指標片３１２とテークバック方向指標片３１４との各指標片３１２，３１４は各々の基端部が拡径部８ａの対向する位置にて回動自在にピン結合されている。
【００５１】
図３（ｄ）は、上記各指標片３１２，３１４に用いられる指標片部品の底面を示している。同図に示すように指標片３１２，３１４は、基端側が幅広で先端側はその幅が漸次に狭まる羽根状をなして樹脂成形され、その裏面には補強用のリブ３２４が一体的に隆起形成されている。また、指標片３１２，３１４の幅広側の基端部には、軸受けをなすボス部３２６が一体的に突出形成されており、図示しないが、このボス部３２６が軸部材８の拡径部８ａに形成された凹部に挿入されて、当該凹部にてピンを介して上下に回動自在に軸支されるようになっている。
【００５２】
また、指標片３１２，３１４は軸部材８よりも長く形成されていて、図３（ｂ），（ｃ）に示すように、軸部材８の拡径部８ａに対向配置された打ち出し方向指標片３１２とテークバック方向指標片３１４との先端は、その折り畳み位置で前記軸部材８の下端よりも下方に延出された状態となる。そして、打ち出し方向指標片３１２とテークバック方向指標片３１４との先端には、これらを折り畳み位置にて相互に係脱自在に係合させる係合手段３２８が設けられている。
【００５３】
この図示例では、当該係合手段３２８は、前記打ち出し方向指標片３１２とテークバック方向指標片３１４との先端を逆方向にずらして相対移動させると係合が離脱する一対の鉤形のフック３２８ａ，３２８ｂでなり、その鉤形フック３２８ａ，３２８ｂの一方が打ち出し方向指標片３１２の先端に基端部側を指向して一体形成され、他方がテークバック方向指標片３１４の先端にその先端側を指向して一体形成されている。
【００５４】
ここで、軸部材の長さは、４．５ｃｍ程度に、そして指標片の長さは５〜７ｃｍ程度に形成することが好ましい。
【００５５】
以上のように構成されるスウィング軌道の指標片付きゴルフティー２Ｃは、ティーアップの際に、その打ち出し方向指標片３１２とテークバック方向指標片３１４とが突出位置に突出して開いた状態でティーグラウンドに突き刺されて使用される。この時、打ち出し方向指標片３１２が飛球の到達目標方向を指向されて設置され、これにより必然的にテークバック指標片３１４は打ち出し方向指標片に対して反対側を指向することになる。つまり、ゴルフティー２Ｃの前後に打ち出し方向指標片３１２とテークバック方向指標片３１４とが一直線状に長く延びて設置されるので、遊技者は理想的なスウィング軌道のイメージを描きやすくなり、前述の第１，第２実施形態と同様な作用効果を奏することになる。
【００５６】
また、図３（ｄ）に仮想線で記すように、軸部材８の拡径部８ａには、前記打ち出し方向指標片３１２とテークバック方向指標片３１４との結合位置に対して９０度ずらして、更にアドレス位置指標片３１８を、前記打ち出し方向指標片３１２とテークバック方向指標片３１４と同様にして、その基端部を回動自在にピン結合させて取り付ける構成となしても良い。
【００５７】
このように、アドレス位置指標片３１８を更に付加してティー本体１０に設ければ、スウィング軌道の指標となる打ち出し方向とテークバック方向とが視認できるばかりか、遊技者はアドレス位置の確認も容易に行えるようになって、そのアドレス位置の不正確さに起因したスウィングの乱れを可及的に防止して、さらに理想のスウィング軌道に近づけることができるようになる。
【００５８】
＝＝＝第４実施形態＝＝＝
図４〜図５は本発明の第４実施形態に係るスウィング軌道の指標片付きゴルフティー２Ｄを示しており、この第４実施形態のスウィング軌道の指標片付きゴルフティー２Ｄは、前述の第３実施形態とその構成は総体的に一致するので、その同一の部材には同一の符合を付してその詳しい説明は省略し、以下には相違する点について詳述する。
【００５９】
即ち、図４に示すように、この第３実施形態のスウィング軌道の指標片付きゴルフティー２Ｄでは、軸部材８の拡径部８ａが中空に形成されて、その内部に打ち出し方向指標片３１２とテークバック方向指標片３１４とをその突出方向に付勢するゴム棒やコイルバネ等の弾発部材４３０が設けられている（図４（ｂ），（ｃ）の要部拡大図を参照）。
【００６０】
この図示例では、その弾発手段４３０にはゴム棒が用いられている。このゴム棒４３０は図３（ｂ）に示すように、突出位置にあって開いている状態の打ち出し方向指標片３１２とテークバック方向指標片３１４との双方のボス部の下に圧縮状態で介在されており、当該ゴム棒４３０の両端がそれぞれ打ち出し方向指標片３１２のボス部下とテークバック方向指標片３１４のボス部下とに固定されて、両指標片３１２，３１４を絶えず上方に向けて付勢している。そして、両指標片３１２，３１４を折り畳んで閉じた状態では、図３（ｃ）に示すように、ゴム棒４３０は押し縮められてその軸圧縮力により撓んで上方に湾曲した状態となる。同図（ｃ）では、両指標片３１２，３１４はそれらの先端同士が係合手段３２８の鉤形フック３２８ａ，３２８ｂによって係合されて、その折り畳み状態が保持されている様子を示している。
【００６１】
従って、指先で両指標片３１２，３１４の先端を捩る等して、鉤形フック３２８ａ，３２８ｂの係合を外して解除すれば、打ち出し方向指標片３１２とテークバック方向指標片３１４との両指標片は湾曲弾性変形したゴム棒４３０の弾発力によって上方に回動されて軸部材８の側方に突出していき、同図（ｂ）に示す突出位置まで先端側が拡開されていく。
【００６２】
ここで、本第４実施形態にあっては、軸部材８の拡径部８ａ内にはさらに係合手段３２８の係合を解除する係合解除機構４３２が設けられている。この図示例では、当該係合解除手段４３２は、前記ゴム棒４３０の上側に設けられていて、図５に示すように、拡径部８ａの外周面に露出する操作片４３４を操作することにより、打ち出し方向指標片３１２とテークバック方向指標片３１４との両基端部のボス部３２６を相互に逆方向に押圧移動させて、これに伴うそれらの先端部の逆方向への相対移動によって係合手段３２８の鉤形フック３２８ａ，３２８ｂの係合を外して解除するようになっている。
【００６３】
即ち、打ち出し方向指標片３１２とテークバック方向指標片３１４とは、その基端部のボス部３２６がピンに沿って移動して鉤形フック３２８ａ，３２８ｂの係合を離脱させ得る遊び寸法αを有して当該ピンに軸支されている。そして、前記係合解除機構４３２は、拡径部８ａの内周部に沿って回転して、打ち出し方向指標片３１２とテークバック方向指標片３１４との基端部のボス部３２６に当接する押圧片４３６と、拡径部８ａの外周面に一端が突出するとともに他端が該押圧片４３６に当接して、当該一端が押し込まれることによって押圧片４３６を押し回す前記操作片４３４としてのプッシュピンとからなる。
【００６４】
前記押圧片３０は直径方向に延びており、その両端がそれぞれ拡径部８ａの内周部に沿って凹設形成された溝部４３８内に挿入されて滑動自在に支持されている。前記プッシュピン４３４は屈曲形成されて、当該押圧片３０にその中心から偏心した位置に当接しており、このため当該プッシュピン４３４を拡径部８ａの内方に向けて押し込むと押圧片４３６が回転する。
【００６５】
そして、回転した押圧片４３６はその両端が打ち出し方向指標片３１２とテークバック方向指標片３１４との基端部のボス部３２６に当接して、これら指標片３１２，３１４をピンに沿って互いに逆向きに移動させることになる。これにより、両指標片３１２，３１４の先端が逆方向に相対移動して鉤形フック３２８ａ，３２８ｂの係合が外れて解除され、両指標片３１２，３１４はゴム棒４３０の弾発力によって上側方の突出位置まで回動されることになる。つまり、この様な係合解除機構４３２を設ければ、スウィング軌道の指標片付きゴルフティー２Ｄを片手で持ったまま、指先のワンタッチ操作で打ち出し方向指標片３１２とテークバック方向指標片３１４とを突出位置に開いて保持し得るので、他方の手にクラブ等を持っていても容易に開放操作してゴルフティー２Ｄを設置することができるようになる。
【００６６】
なお、当該実施形態にあっても第３実施形態と同様にして、図４（ａ）に仮想線で示すように、アドレス位置指標片３１８を設けても良い。
【００６７】
＝＝＝第５実施形態＝＝＝
図６は本発明の第５実施形態に係るスウィング軌道の指標片付きゴルフティー２Ｅを示しており、この第５実施形態のスウィング軌道の指標片付きゴルフティー２Ｅにあっても、前述の第３実施形態の例とその構成は総体的に一致するので、その同一の部材には同一の符合を付してその詳しい説明は省略し、以下には相違する点について詳述する。
【００６８】
即ち、この第５実施形態のスウィング軌道の指標片付きゴルフティー２Ｅにあっては、前記打ち出し方向指標片３１２とテークバック方向指標片３１４とが、これらを突出位置に保持する可撓性弾発部材５４０を介して折り畳み自在に前記軸部８の拡径部８ａに取り付けられるようになっている。そして、当該可撓性弾発部材５４０としては、ゴム棒やコイルバネ等が適し、図示例ではゴム棒を採用している。
【００６９】
即ち、このゴム棒５４０は軸部材８の拡径部８ａを直径方向に貫通して設けられ、その両端に打ち出し方向指標片３１２とテークバック方向指標片３１４とがそれらの基端部で固定係止されて支持される。そして、折り畳み時には、打ち出し方向指標片３１２とテークバック方向指標片３１４との先端に設けられている係合手段３２８の鉤フック３２８ａ，３２８ｂを相互に係合させて、その折り畳み状体を維持する。そして、この折り畳み状態では、ゴム棒５４０は下方に押し曲げられて湾曲し、弾発復元力を内在することになる。
【００７０】
これ故、打ち出し方向指標片３１２とテークバック方向指標片３１４との両指標片の先端をそれぞれ指先で捩る等して、鉤形フック３２８ａ，３２８ｂの係合を外して解除すれば、打ち出し方向指標片３１２とテークバック方向指標片３１４とはゴム棒５４０の弾発復元力によって先端側が上方に拡開して広がり、相互に軸部材８の側方の逆方向に向けて突出する。
【００７１】
そして、当該第５実施形態のスウィング軌道の指標片付きゴルフティー２Ｅでは、打ち出し方向指標片３１２とテークバック方向指標片３１４とをピンで軸支せずに、ゴム棒５４０等の可撓性弾発部材で折り畳み自在に支持するので、構造が簡単で極めて廉価に作製できる。
【００７２】
＝＝＝第６実施形態＝＝＝
図７は本発明の第６実施形態に係るスウィング軌道の指標片付きゴルフティー２Ｆを示して、この第６実施形態のスウィング軌道の指標片付きゴルフティー２Ｆにあっても、ティー本体１０の構成は前述した第１実施形態と同様であり、よって同一の部材には同一の符合を付してその詳しい説明は省略する。
【００７３】
即ち、この第６実施形態のスウィング軌道の指標片付きゴルフティー２Ｆでは、打ち出し方向指標片６１２とテークバック方向指標片６１４とが復元性を有した軟質な可撓性樹脂素材によって形成されるとともに、それら両指標片６１２，６１４の基端部がそれらの突出状態を維持された状態にて軸部８の拡径部８ａに一体的に取付固定されている。
【００７４】
そして、打ち出し方向指標片６１２とテークバック方向指標片６１４との両指標片の外周部には、直径が拡縮しながら軸部材８に沿って上下に移動可能なゴムリング６４２が嵌装されて、当該ゴムリング６４２の下方への移動により両指標片６１２，６１４が折り畳まれて保持されるようになっている。また、両指標片６１２，６１４の表側面にはその先端側に近接して当該ゴムリング６４２の抜け落ちを防止する突起６４４が一体形成されて設けられている。
【００７５】
即ち、打ち出し方向指標片６１２とテークバック方向指標片６１４とは、上記のように復元性を有した軟質な可撓性樹脂素材によって形成されているから、当該自然状態では両指標片６１２，６１４は軸部材８の側方に向けて相互に逆向きに延びて突出している（図７（ａ）参照）。そして、この突出状態の両指標片６１２，６１４の外周に嵌装されたをゴムリング６４２を下方に移動させていくと、当該ゴムリング６４２の拘束力によって両指標片６１２，６１４は軸部材８に沿って密着しながら弾性変形されて折り畳まれていく。そして、ゴムリング６４２を上方に移動させてその拘束力を解放していけば、弾性変形していた両指標片６１２，６１４はその弾発力にて復元して側方に突出していき、元の突出した状態に復帰する。
【符号の説明】
【００７６】
２Ａ，２Ｂ，２Ｃ，２Ｄ，２Ｅ，２Ｆ  スウィング軌道の指標片付きゴルフティー
８，９    軸部材
８ａ，９ａ，２０９  拡径部
１０，１１  ティー本体
１１２，２１２，３１２，６１２  打ち出し方向指標片
１１４，２１４，３１４，６１４  テークバック方向指標片
１１６，２１６  ピン
２１８，３１８  アドレス位置指標片
２２０  円環状部材
３２６  ボス部（基端部）
３２８  係合手段
３２８ａ，３２８ｂ  鉤形フック
４３０  ゴム棒（弾発手段）
４３２  係合解除機構
４３４  操作片（プッシュピン）
４３６  押圧片
４３８  溝部
５４０  ゴム棒（可撓性弾発部材）
６４２  ゴムリング
６４４  突起
【図１】
2011004813.tif 000003
【図２】
2011004813.tif 000004
【図３】
2011004813.tif 000005
【図４】
2011004813.tif 000006
【図５】
2011004813.tif 000007
【図６】
2011004813.tif 000008
【図７】
2011004813.tif 000009